(57)【要約】【課題】チャンネル毎の電波の伝搬状態の判別精度を向上させる電波状態の解析技術を提供する。【解決手段】無線ＬＡＮ通信に用いる電波の状態を解析する解析装置１０は、複数の周波数帯域の電波信号を受信する受信部４１０と、受信した電波信号からチャンネル毎の中心周波数帯の電界強度ＲＳＳ１を検出する第１強度検出部４２０と、受信した電波信号の拡散復調を行う拡散復調部４３０と、拡散復調した電波信号からチャンネル毎の中心周波数帯の電界強度ＲＳＳＩ２を検出する第２強度検出部４４０と、ＲＳＳＩ１とＲＳＳＩ２とをチャンネル毎に照合してチャンネル毎の電波の状態を判別する判別部４５０と、判別した電波の状態を表示する表示部４６０とを備える。【選択図】  図２
2004207986.tif 000002
【特許請求の範囲】
【請求項１】
周波数帯域の重なり合う複数のチャンネルでスペクトラム拡散通信方式により情報のやり取りを行う無線情報通信に用いる電波の状態を解析する解析装置であって、
前記複数の周波数帯域の電波信号を受信する受信手段と、
前記受信した電波信号から、チャンネル毎の中心周波数帯の電界強度を検出する第１の強度検出手段と、
前記受信した電波信号の拡散復調を行う拡散復調手段と、
前記拡散復調した電波信号から、チャンネル毎の中心周波数帯の電界強度を検出する第２の強度検出手段と、
前記第１の強度検出手段が検出した電界強度と、前記第２の強度検出手段が検出した電界強度とをチャンネル毎に照合して、チャンネル毎の電波の状態を判別する判別手段と、
前記判別した電波の状態を表示する表示手段と
を備えた解析装置。
【請求項２】
請求項１記載の解析装置であって、
前記判別手段は、少なくとも、当該無線情報通信によって使用中である状態と、当該無線情報通信の使用に適する状態と、当該無線情報通信の使用に適さない状態とのいずれかの状態を判別する解析装置。
【請求項３】
前記無線情報通信は、無線ローカルエリアネットワークを形成するための通信を含む請求項１または２記載の解析装置。
【請求項４】
周波数帯域の重なり合う複数のチャンネルでスペクトラム拡散通信方式により情報のやり取りを行う無線ローカルエリアネットワークを介して、端末機器を広域ネットワークへ接続する接続装置であって、
前記複数の周波数帯域の電波信号を受信する受信手段と、
前記受信した電波信号から、チャンネル毎の中心周波数帯の電界強度を検出する第１の強度検出手段と、
前記受信した電波信号の拡散復調を行う拡散復調手段と、
前記拡散復調した電波信号から、チャンネル毎の中心周波数帯の電界強度を検出する第２の強度検出手段と、
前記第１の強度検出手段が検出した電界強度と、前記第２の強度検出手段が検出した電界強度とをチャンネル毎に照合して、チャンネル毎の電波の状態を判別する判別手段と、
前記判別した電波の状態に基づいて、端末機器と情報のやり取りに使用するチャンネルを選択する選択手段と
を備えた接続装置。
【請求項５】
周波数帯域の重なり合う複数のチャンネルでスペクトラム拡散通信方式により情報のやり取りを行う無線ローカルエリアネットワークを提供する接続装置に接続することにより、該無線ローカルエリアネットワークを介して広域ネットワークに接続する端末機器であって、
前記複数の周波数帯域の電波信号を受信する受信手段と、
前記受信した電波信号から、チャンネル毎の中心周波数帯の電界強度を検出する第１の強度検出手段と、
前記受信した電波信号の拡散復調を行う拡散復調手段と、
前記拡散復調した電波信号から、チャンネル毎の中心周波数帯の電界強度を検出する第２の強度検出手段と、
前記第１の強度検出手段が検出した電界強度と、前記第２の強度検出手段が検出した電界強度とをチャンネル毎に照合して、チャンネル毎の電波の状態を判別する判別手段と、
前記判別した電波の状態に基づいて、接続装置と情報のやり取りに使用するチャンネルを選択する選択手段と
を備えた端末機器。
【請求項６】
周波数帯域の重なり合う複数のチャンネルでスペクトラム拡散通信方式により情報のやり取りを行う無線情報通信に用いる電波の状態を判別する方法であって、
前記複数の周波数帯域の電波信号を受信して、
前記受信した電波信号から検出したチャンネル毎の中心周波数帯の電界強度と、前記受信した電波信号を拡散復調した電波信号から検出したチャンネル毎の中心周波数帯の電界強度とを、チャンネル毎に照合して、チャンネル毎の電波の状態を判別する
方法。
【発明の詳細な説明】
【０００１】
【発明の属する技術分野】
本発明は、無線情報通信における電波状態の解析技術に関し、詳しくは、周波数帯域の重なり合う複数のチャンネルでスペクトラム拡散通信方式により情報のやり取りを行う無線情報通信のチャンネル毎の電波の伝搬状態を解析する技術に関する。
【０００２】
【従来の技術】
周波数帯域の重なり合う複数のチャンネルでスペクトラム拡散通信方式により情報のやり取りを行う無線情報通信として無線ローカルエリアネットワーク（以下、無線ＬＡＮという）を形成するための通信がある。ＩＥＥＥ８０２．１１ｂ規格に準拠した無線ＬＡＮ通信では、中心周波数が２４１２〜２３８４メガヘルツ（以下、ＭＨｚと表記）の１４チャンネルを使用し、チャンネル毎に２２〜２４ＭＨｚの帯域幅に信号を拡散している。従来、この無線ＬＡＮ通信で使用する電波の伝搬状態を判別するため、受信した電波信号から検出した電界強度を用いて判別するものがあった。
【０００３】
例えば、下記特許文献には、受信した電波信号から検出した電界強度を用いて電波の伝搬状態を判別する技術が記載されている。
【特許文献１】
特開２００２−１５８６６７号公報
【０００４】
【発明が解決しようとする課題】
しかしながら、１チャンネルの周波数帯域の中に、他のチャンネルの周波数帯域が重なり合っているため、判別しようとするチャンネルの中心周波数帯の電界強度を、受信した電波信号から検出しても、他のチャンネルにおいて拡散した電波信号の電界強度も合わせて検出してしまい、チャンネル毎の電波の伝搬状態を精度良く判別できないという問題があった。
【０００５】
本発明は、上記した問題点を解決するためになされたものであり、チャンネル毎の電波の伝搬状態の判別精度を向上させる電波状態の解析技術を提供することを目的とする。
【０００６】
【課題を解決するための手段およびその作用・効果】
上記した課題を解決するため、周波数帯域の重なり合う複数のチャンネルでスペクトラム拡散通信方式により情報のやり取りを行う無線情報通信に用いる電波の状態を解析する解析装置であって、前記複数の周波数帯域の電波信号を受信する受信手段と、前記受信した電波信号から、チャンネル毎の中心周波数帯の電界強度を検出する第１の強度検出手段と、前記受信した電波信号の拡散復調を行う拡散復調手段と、前記拡散復調した電波信号から、チャンネル毎の中心周波数帯の電界強度を検出する第２の強度検出手段と、前記第１の強度検出手段が検出した電界強度と、前記第２の強度検出手段が検出した電界強度とをチャンネル毎に照合して、チャンネル毎の電波の状態を判別する判別手段と、前記判別した電波の状態を表示する表示手段とを備えたことを特徴とする。
【０００７】
かかる解析装置は、受信した電波信号を拡散復調することにより、他のチャンネルの拡散した電波信号やこの無線情報通信以外の電波信号を排除した電波信号から検出した電界強度を用いて、電波の伝搬状態を判別して表示する。よって、判別しようとするチャンネルの無線情報通信による電波のみの電界強度を用いて電波の伝搬状態を判別するため、チャンネル毎の電波の伝搬状態の判別精度を向上させることができる。
【０００８】
上記の構成を有する本発明の解析装置は、以下の態様を採ることもできる。前記判別手段は、少なくとも、当該無線情報通信によって使用中である状態と、当該無線情報通信の使用に適する状態と、当該無線情報通信の使用に適さない状態とのいずれかの状態を判別するとしても良い。かかる解析装置によれば、無線情報通信の基地局を管理する者は、解析装置の判別した状態に基づいて、管理する基地局の最適な設置場所や設置した基地局で使用する最適なチャンネルの選定を精度良く行うことができる。また、無線情報通信の端末機器のユーザは、解析装置の判別した状態に基づいて、端末機器の最適な利用場所や端末機器で使用する最適なチャンネルの選定を精度良く行うことができる。
【０００９】
電波の状態を解析する無線情報通信には、無線ローカルエリアネットワークを形成するための通信を含むとしても良い。よって、複数のチャンネルを用いる無線ローカルエリアネットワークにおいて、チャンネル毎の電波の伝搬状態の判別精度を向上させることができる。
【００１０】
また、この発明に対応した接続装置の発明は、周波数帯域の重なり合う複数のチャンネルでスペクトラム拡散通信方式により情報のやり取りを行う無線ローカルエリアネットワークを介して、端末機器を広域ネットワークへ接続する接続装置であって、前記複数の周波数帯域の電波信号を受信する受信手段と、前記受信した電波信号から、チャンネル毎の中心周波数帯の電界強度を検出する第１の強度検出手段と、前記受信した電波信号の拡散復調を行う拡散復調手段と、前記拡散復調した電波信号から、チャンネル毎の中心周波数帯の電界強度を検出する第２の強度検出手段と、前記第１の強度検出手段が検出した電界強度と、前記第２の強度検出手段が検出した電界強度とをチャンネル毎に照合して、チャンネル毎の電波の状態を判別する判別手段と、前記判別した電波の状態に基づいて、端末機器と情報のやり取りに使用するチャンネルを選択する選択手段とを備えたことを特徴とする。
【００１１】
かかる接続装置は、受信した電波信号を拡散復調することにより、他のチャンネルの拡散した電波信号やこの無線情報通信以外の電波信号を排除した電波信号から検出した電界強度を用いて、電波の伝搬状態を判別して、情報のやり取りに使用するチャンネルを選択する。よって、判別しようとするチャンネルの無線情報通信による電波のみの電界強度を用いて電波の伝搬状態を判別するため、情報のやり取りに最適なチャンネルの選定を精度良く行うことができる。
【００１２】
また、この発明に対応した端末機器の発明は、周波数帯域の重なり合う複数のチャンネルでスペクトラム拡散通信方式により情報のやり取りを行う無線ローカルエリアネットワークを提供する接続装置に接続することにより、該無線ローカルエリアネットワークを介して広域ネットワークに接続する端末機器であって、前記複数の周波数帯域の電波信号を受信する受信手段と、前記受信した電波信号から、チャンネル毎の中心周波数帯の電界強度を検出する第１の強度検出手段と、前記受信した電波信号の拡散復調を行う拡散復調手段と、前記拡散復調した電波信号から、チャンネル毎の中心周波数帯の電界強度を検出する第２の強度検出手段と、前記第１の強度検出手段が検出した電界強度と、前記第２の強度検出手段が検出した電界強度とをチャンネル毎に照合して、チャンネル毎の電波の状態を判別する判別手段と、前記判別した電波の状態に基づいて、接続装置と情報のやり取りに使用するチャンネルを選択する選択手段と
を備えたことを特徴とする。
【００１３】
かかる端末機器は、受信した電波信号を拡散復調することにより、他のチャンネルの拡散した電波信号やこの無線情報通信以外の電波信号を排除した電波信号から検出した電界強度を用いて、電波の伝搬状態を判別して、情報のやり取りに使用するチャンネルを選択する。よって、判別しようとするチャンネルの無線情報通信による電波のみの電界強度を用いて電波の伝搬状態を判別するため、情報のやり取りに最適なチャンネルの選定を精度良く行うことができる。
【００１４】
また、この発明に対応した方法の発明は、周波数帯域の重なり合う複数のチャンネルでスペクトラム拡散通信方式により情報のやり取りを行う無線情報通信に用いる電波の状態を判別する方法であって、前記複数の周波数帯域の電波信号を受信して、前記受信した電波信号から検出したチャンネル毎の中心周波数帯の電界強度と、前記受信した電波信号を拡散復調した電波信号から検出したチャンネル毎の中心周波数帯の電界強度とを、チャンネル毎に照合して、チャンネル毎の電波の状態を判別することを特徴とする。
【００１５】
かかる方法によれば、受信した電波信号を拡散復調することにより、他のチャンネルの拡散した電波信号や、この無線情報通信以外の電波信号を排除した電波信号から検出した電界強度を用いて、電波の伝搬状態を判別する。よって、判別しようとするチャンネルの無線情報通信による電波のみの電界強度を用いて電波の伝搬状態を判別するため、チャンネル毎の電波の伝搬状態の判別精度を向上させることができる。
【００１６】
【発明の実施の形態】
以上説明した本発明の構成及び作用を一層明らかにするために、以下本発明を適用した無線情報通信における電波状態の解析技術の一つとして、無線ＬＡＮ通信における電波状態の解析技術について説明する。
【００１７】
本発明の第１の実施例である解析装置１０について説明する。図１は、第１の実施例における解析装置１０の外観図である。解析装置１０は、ＩＥＥＥ８０２．１１ｂ規格に準拠した無線ＬＡＮ通信に用いる電波の状態を解析するものである。この無線ＬＡＮ通信では、図８に示すように、２４１２〜２４８４ＭＨｚを中心周波数とした２２〜２４ＭＨｚの帯域幅を持つ第１から第１４チャンネルが使用され、周波数帯域の重なり合う複数のチャンネルでスペクトラム拡散通信方式により情報のやり取りが行われる。
【００１８】
この解析装置１０は、ノートパソコン２０と、ＰＣＭＣＩＡに準拠したＰＣカードであり無線ＬＡＮの電波を送受信可能な無線カード３０とを備える。このノートパソコン２０は、ＣＰＵ，ＲＯＭ，ＲＡＭなどで構成した制御装置２１０、ハードディスクドライブ（以下、ＨＤＤという）などの記憶装置２２０、ＰＣＭＣＩＡに準拠したインターフェースであるインターフェース装置３２０，文字や図形などを表示するディスプレイなどの表示装置２４０、ユーザからの入力を受け付けるキーボードなどの入力装置２５０などを備える周知のノート型パーソナルコンピュータである。制御装置２１０は、無線ＬＡＮ通信における電波状態の解析に関する各種の処理を実行する。記憶装置２２０は、制御装置２１０で実行された処理の結果をデータとして格納する。インターフェース装置２３０は、無線カード３０と接続してデータのやり取りを行う。表示装置２４０は、制御装置２１０で実行された処理の結果をディスプレイに表示する。
【００１９】
他方、無線カード３０は、アンテナ，フィルタ，ＲＦ／ＩＦコンバータ，直交変復調器などで構成したＲＦ装置３１０、Ａ／Ｄコンバータ，逆拡散回路などで構成したベースバンド装置３２０、ＣＵＰ，ＲＯＭ，ＲＡＭなどで構成したＭＡＣ装置３３０などを備える。ＲＦ装置３１０は、無線ＬＡＮ通信に用いる周波数帯域の電波の受信から、ＤＢＰＳＫ(Differential Binary Phase Shift Keying)，ＤＱＰＳＫ(Differential Quadrature Phase Shift Keying),４bitＣＣＫ(Complementary Code Keying),８bitＣＣＫなどの一次復調までのアナログ信号に関する処理を行う。ベースバンド装置３２０は、無線ＬＡＮ通信で行うスペクトラム拡散のＰＮ(Pseudorandom Noise)符号により、一次復調した電波信号を拡散復調する。ＭＡＣ装置３３０は、無線ＬＡＮ通信のデジタル信号に関する処理のほか、無線ＬＡＮ通信における電波状態の解析に関する各種の処理を実行する。
【００２０】
次に、解析装置１０の内部構造を機能的に説明する。図２は、第１の実施例における解析装置１０の内部構造を機能的に示したブロック図である。解析装置１０は、無線ＬＡＮ通信に用いる複数の周波数帯域の電波信号を受信して処理する受信部４１０と、受信した電波信号からチャンネル毎の中心周波数帯の電界強度（以下、ＲＳＳＩ１という）を検出する第１強度検出部４２０と、受信した電波信号の拡散復調を行う拡散復調部４３０と、拡散復調した電波信号からチャンネル毎の中心周波数帯の電界強度（以下、ＲＳＳＩ２という）を検出する第２強度検出部４４０と、ＲＳＳＩ１とＲＳＳＩ２とをチャンネル毎に照合して電波の状態を判別する判別部４５０と、判別した電波の状態を表示する表示部４６０とを備える。
【００２１】
ＲＦ装置３１０は受信部４１０と第１強度検出部４２０の機能を、ベースバンド装置３２０は拡散復調部４３０の機能を、ＭＡＣ装置３３０は第２強度検出部４４０の機能をそれぞれ担う。制御装置２１０は判別部４５０の機能を、表示装置２４０は表示部４６０の機能をそれぞれ担う。図２には、解析装置１０を構成する各装置が担う解析装置としての機能のみを示すが、実際の各装置は、無線ＬＡＮ通信を行うための種々の機能を併せ持っている。
【００２２】
第１強度検出部４２０が検出するＲＳＳＩ１は、受信部４１０が受信したあるチャンネルの周波数帯域の電波信号を拡散復調する前の電界強度であるため、ＲＳＳＩ１は、そのチャンネルの無線ＬＡＮ通信による電波信号のほか、他のチャンネルの無線ＬＡＮ通信が存在すれば、その無線ＬＡＮ通信から拡散された電波信号や、電子レンジやアマチュア無線機器などの無線ＬＡＮ通信以外の機器が存在すれば、これらからの電波信号などを含む電界強度となる。一方、第２強度検出部４４０が検出するＲＳＳＩ２は、受信部４１０が受信したあるチャンネルの周波数帯域の電波信号を拡散復調した後の電界強度であるため、ＲＳＳＩ２は、そのチャンネルの無線ＬＡＮ通信による電波信号のみの電界強度となる。
【００２３】
次に、解析装置１０の判別部４５０が、ＲＳＳＩ１とＲＳＳＩ２とからチャンネル毎の電波の状態を判別する処理（以下、状態判別処理という）について説明する。図３は、第１の実施例における判別部４５０の状態判別処理を示すフローチャートである。入力装置２５０が、解析装置１０のユーザからの解析処理始動の入力を受けると、判別部４５０は、図３に示した状態判別処理を開始する。その後、入力装置２５０が、解析装置１０のユーザからの解析処理中止の入力を受けるまで、所定のタイミングでこの処理を繰り返す。判別部４５０は、図３に示した処理を開始すると、まず、第１チャンネルの電波状態の判別を行うため、第１強度検出部４２０が検出する第１チャンネルについてのＲＳＳＩ１を読み込み（ステップＳ３１０）、第２強度検出部４４０が検出する第１チャンネルについてのＲＳＳＩ２を読み込む（ステップＳ３１０）。
【００２４】
ＲＳＳＩ２の読み込みの後（ステップＳ３２０）、ＲＳＳＩ１とＲＳＳＩ２とを照合して、ＲＳＳＩ１の絶対強度が、予め設定したＰ１デシベルメートルより小さく、かつ、ＲＳＳＩ２が、予め設定したＰ２デシベルメートル小さい場合には（ステップＳ３３０）、この第１チャンネルの電波状態は、無線ＬＡＮ通信に使用されていない、かつ、無線ＬＡＮ通信を阻害する電波が発生していない「無線ＬＡＮ通信の使用に適する状態」であると判別する（ステップＳ３５０）。なお、Ｐ１およびＰ２の値は、判別に求められる精度の関係など、種々の要因を検討して定めれば良い。
【００２５】
一方、ステップＳ３３０の条件に該当せず、ＲＳＳＩ２の絶対強度が、Ｐ２デシベルメートル以上である場合には（ステップＳ３４０）、この第１チャンネルの電波状態は、「無線ＬＡＮ通信によって使用中である状態」であると判別する（ステップＳ３６０）。他方、ステップ３４０の条件にも該当しない場合には（ステップＳ３４０）、この第１チャンネルの電波状態は、無線ＬＡＮ通信を阻害する電波の発生により「無線ＬＡＮ通信の使用に適さない状態」であると判別する（ステップＳ３７０）。
【００２６】
これらの判別を終えると（ステップＳ３５０，Ｓ３６０，Ｓ３７０）、全てのチャンネルである第１から第１４チャンネルについて電波状態を判別したかを判断する（ステップＳ３８０）。第１４チャンネルまで判別していなければ（ステップＳ３８０）、次のチャンネル（すなわち、第１チャンネルを判別したら、次は第２チャンネル）についての判別を行うため、ステップＳ３１０からの処理を繰り返す。一方、全てのチャンネルについて電波状態を判別したら（ステップＳ３８０）、全てのチャンネルについての電波状態の判別結果を表示部４６０で表示するための処理（以下、結果表示処理という）を行う（ステップＳ３９０）。
その後、処理を終了する。
【００２７】
次に、上述の図３に示した結果表示処理（ステップＳ３９０）における結果表示について説明する。ＲＳＳＩ１の結果表示について説明する。図４は、第１の実施例におけるＲＳＳＩ１の結果表示を示す説明図である。ＲＳＳＩ１の結果表示として、横軸には、第１から第１４チャンネルを左から順に表示する。縦軸には、各チャンネルのＲＳＳＩ１を、全てのチャンネルのうち最も強度の高いチャンネルを基準として相対的に棒グラフとして表示するとともに、前述の図３に示した状態判別処理において電波状態の判別の基準とした絶対強度Ｐ１デシベルメートルのレベルも表示する。図４に示した結果表示においては、第８から第１１チャンネル以外のチャンネルが、Ｐ１デシベルメートル以上である状態を示している。
【００２８】
次に、ＲＳＳＩ２の結果表示について説明する。図５は、第１の実施例におけるＲＳＳＩ２の結果表示を示す説明図である。ＲＳＳＩ２の結果表示として、図４に示したＲＳＳ１の表示と同様の表示を行い、電波状態の判別の基準として絶対強度Ｐ２デシベルメートルのレベルを表示する。図５に示した結果表示においては、第１２から第１４チャンネルが、Ｐ２デシベルメートル以上である状態を示している。
【００２９】
次に、電波状態の判別の結果表示について説明する。図６は、第１の実施例における電波状態の判別の結果表示を示す説明図である。電波状態の結果表示として、図４に示したＲＳＳＩ１の表示と同様の表示を行うが、図４とは異なり、前述の図３に示した状態判別処理の判別結果に応じて、それぞれ、棒グラフの色を変えて表示する。図６に示した結果表示においては、「無線ＬＡＮ通信の使用に適する状態」と判別した第８から第１１チャンネルは、「青色（図６には、ハッチング無しで示す）」で表示する。「無線ＬＡＮ通信によって使用中である状態」と判別した第１２から第１４チャンネルは、「黄色（図６には、右下がりのハッチングで示す）」で表示する。「無線ＬＡＮ通信の使用に適さない状態」と判別した第１から第７チャンネルは、「赤色（図６には、左下がりのハッチングで示す）」で表示する。なお、結果表示処理における結果表示は、これらの表示に限るものではなく、種々の態様で行うことができる。例えば、電波状態の判別の結果のみを表示しても良い。また、棒グラフ表示以外の他のグラフ表示、キャラクタによる表示、数字や文字，記号による表示であっても良い。また、音声により結果を出力するようにしても良い。また、図４〜図６に示した結果表示を別々の画面に表示するのではなく、ひとつの画面に並べて表示しても良い。これにより、解析装置１０のユーザによる電波状態の把握を、より容易なものとすることができる。
【００３０】
以上説明した実施例によれば、解析装置１０は、受信した電波信号を拡散復調部４３０で拡散復調することにより、他のチャンネルの拡散した電波信号やこの無線ＬＡＮ通信以外の電波信号を排除したＲＳＳＩ２を用いて、電波の伝搬状態を判別して表示する。よって、判別しようとするチャンネルの無線情報通信による電波のみの電界強度を用いて電波の伝搬状態を判別するため、チャンネル毎の電波の伝搬状態の判別精度を向上させることができる。
【００３１】
本発明の第２の実施例であるアクセスポイントシステムについて説明する。図７は、第２の実施例におけるアクセスポイントシステム９０の全体構成図である。アクセスポイントシステム９０は、広域ネットワークであるインターネット７０を利用したものである。インターネット７０には、接続装置５０が接続されている。この接続装置５０は、ＩＥＥＥ８０２．１１ｂ規格に準拠した無線ＬＡＮにより端末機器６０と接続する。なお、図７では、接続装置５０および端末機器６０の全てを図示しないが、実際のアクセスポイントシステム９０には、複数の接続装置５０および端末機器６０がある。
【００３２】
接続装置５０は、無線ＬＡＮで接続する端末機器６０と、インターネット７０に接続されたサーバ７５などとの間のデータのやり取りの中継を行う。これにより、端末機器６０は、接続装置５０を介して、インターネット７０に接続されたサーバ７５などとのデータのやり取りを行うインターネット通信が可能となる。
この端末機器６０のインターネット通信の形態としては、ウェブコンテンツの取得、電子メールの受送信、インターネット電話などがある。
【００３３】
次に、接続装置５０の内部構造について説明する。接続装置５０は、ＣＰＵ，ＲＯＭ，ＲＡＭなどで構成した制御装置５１０、ＨＤＤなどの記憶装置５２０、インターネット７０のインターフェースなどのほか、前述の図１に示した解析装置１０と同様に、ＲＦ装置５３０、ベースバンド装置５４０、ＭＡＣ装置５５０を備える。制御装置５１０は、端末機器６０へのインターネット通信の提供に関する各種の処理を実行する。記憶装置５２０は、制御装置５１０で実行された処理の結果をデータとして格納する。
【００３４】
次に、端末機器６０の内部構造について説明する。端末機器６０の内部構造は、前述の図１に示した解析装置１０と同様であり、制御装置６１０、記憶装置６２０、ＲＦ装置６３０、ベースバンド装置６４０、ＭＡＣ装置６５０などを備える。制御装置６１０は、接続装置５０によるインターネット通信の提供に関する各種の処理を実行する。
【００３５】
次に、接続装置５０が、端末機器６０と接続するための無線ＬＡＮのチャンネルを選択するチャンネル選択処理について説明する。接続装置５０の制御装置５１０は、使用しているチャンネルの通信速度が所定の速度以下に低下した場合に、チャンネル選択処理を開始する。通信速度が低下する場合とは、近隣の他の接続装置５０と同じチャンネルを使用している場合、同じチャンネルで多くの端末機器６０が接続している場合、無線ＬＡＮと同じ周波数帯域の電波を用いる電子レンジ８０などからの電波が発生している場合などがある。処理を開始すると、前述の図３に示した状態判別処理における結果表示処理（ステップＳ３９０）以外と同様の処理行った後、「無線ＬＡＮ通信の使用に適する状態」と判別したチャンネルのうち最も電界強度の低いチャンネルを選択して、処理を終了する。一方、「無線ＬＡＮ通信の使用に適する状態」と判別したチャンネルがない場合には、「無線ＬＡＮ通信によって使用中である状態」と判別したチャンネルのうち最も電界強度の低いチャンネルを選択して、処理を終了する。この処理の後、選択したチャンネルを使用して、端末機器６０からの接続要求を受け付けるためのビーコン信号を送信する。その後、接続要求をした端末機器６０との接続を行う。
【００３６】
次に、端末機器６０が、接続装置５０と接続するための無線ＬＡＮチャンネルを選択する端末チャンネル選択処理について説明する。端末機器６０の制御装置６１０は、使用しているチャンネルの通信速度が所定の速度以下に低下した場合に、チャンネル選択処理を開始する。処理を開始すると、前述の図３に示した状態判別処理における結果表示処理（ステップＳ３９０）以外と同様の処理行った後、「無線ＬＡＮ通信によって使用中である状態」と判別したチャンネルのうち最も電界強度の高いチャンネルを選択して、処理を終了する。この処理の後、選択したチャンネルを使用してビーコン信号を送信する接続装置５０に接続要求を行い、接続装置５０との接続を行う。
【００３７】
以上説明した実施例によれば、接続装置５０や端末機器６０は、受信した電波信号を拡散復調することにより、他のチャンネルの拡散した電波信号やこの無線情報通信以外の電波信号を排除した電波信号から検出した電界強度を用いて、電波の伝搬状態を判別して、情報のやり取りに使用するチャンネルを選択する。よって、判別しようとするチャンネルの無線情報通信による電波のみの電界強度を用いて電波の伝搬状態を判別するため、情報のやり取りに最適なチャンネルの選定を精度良く行うことができる。
【００３８】
以上、本発明の実施の形態について説明したが、本発明はこうした実施の形態に何ら限定されるものではなく、本発明の趣旨を逸脱しない範囲内において様々な形態で実施し得ることは勿論である。例えば、判別する無線情報通信は、無線ＬＡＮ通信に限らず、他の無線情報通信としても良い。また、接続装置５０や端末機器６０は、結果表示処理（ステップＳ３９０）を行って判別結果を表示するようにしても良いし、この表示を基づいて、管理やユーザが、チャンネルを選定できるようにしても良い。
【図面の簡単な説明】
【図１】第１の実施例における解析装置１０の外観図である。
【図２】第１の実施例における解析装置１０の内部構造を機能的に示したブロック図である。
【図３】第１の実施例における判別部４５０の状態判別処理を示すフローチャートである。
【図４】第１の実施例におけるＲＳＳＩ１の結果表示を示す説明図である。
【図５】第１の実施例におけるＲＳＳＩ２の結果表示を示す説明図である。
【図６】第１の実施例における電波状態の判別の結果表示を示す説明図である。
【図７】第２の実施例におけるアクセスポイントシステム９０の全体構成図である。
【図８】無線ＬＡＮ通信のチャンネルの周波数帯域を示す説明図である。
【符号の説明】
１０…解析装置
２０…ノートパソコン
３０…無線カード
５０…接続装置
６０…端末機器
７０…インターネット
７５…サーバ
８０…電子レンジ
９０…アクセスポイントシステム
２１０…制御装置
２２０…記憶装置
２３０…インターフェース装置
２４０…表示装置
２５０…入力装置
３１０…ＲＦ装置
３２０…インターフェース装置
３２０…ベースバンド装置
３３０…ＭＡＣ装置
４１０…受信部
４２０…第１強度検出部
４３０…拡散復調部
４４０…第２強度検出部
４５０…判別部
４６０…表示部
５１０…制御装置
５２０…記憶装置
５３０…ＲＦ装置
５４０…ベースバンド装置
５５０…ＭＡＣ装置
６１０…制御装置
６２０…記憶装置
６３０…ＲＦ装置
６４０…ベースバンド装置
６５０…ＭＡＣ装置
【図１】
2004207986.tif 000003
【図２】
2004207986.tif 000004
【図３】
2004207986.tif 000005
【図４】
2004207986.tif 000006
【図５】
2004207986.tif 000007
【図６】
2004207986.tif 000008
【図７】
2004207986.tif 000009
【図８】
2004207986.tif 000010